【事件の表示】
　特許第３４１７２７６号「電話機」の請求項１、２に係る特許に対する特許異議の申立てについて、次のとおり決定する。
【結　論】
　訂正を認める。
　特許第３４１７２７６号の請求項１に係る特許を取り消す。
【理　由】
第１．手続の経緯
　特許第３４１７２７６号の請求項１、２に係る発明についての出願は、平成９年１１月７日に特許出願され、平成１５年４月１１日にその発明について特許権の設定登録がなされ、その後、その特許について、特許異議申立人　房安志織より特許異議の申立てがなされ、取消の理由が通知され、その指定期間内である平成１６年６月１８日に訂正請求がなされたものである。
　
第２．訂正の適否の検討
１．訂正内容
（１）訂正事項ａ
　特許請求の範囲の請求項１の記載について、
「予め記憶させた通話相手電話番号を読み出し、発信可能にした電話機に於いて、上記通話相手電話番号を記憶するメモリ領域、発信時、上記メモリ領域から上記通話相手電話番号を読み出し、該通話相手電話番号の所定桁数位置の番号を変更又は所定桁数位置に番号を付加する変換手段、この変換手段により変換された通話相手電話番号を表示する表示部、及び、上記変換手段により変換された通話相手電話番号に発信する送信手段を備えたことを特徴とする電話機。」とあるのを、
「予め記憶させた通話相手電話番号を読み出し、発信可能にした電話機に於いて、上記通話相手電話番号を記憶するメモリ領域、発信時、上記メモリ領域から上記通話相手電話番号を読み出すときに、該通話相手電話番号の所定桁数位置の番号を変更又は所定桁数位置に番号を付加する変換手段、この変換手段により変換された通話相手電話番号を表示する表示部、及び上記変換手段により変換された通話相手電話番号に発信する送信手段を備えたことを特徴とする電話機。」と訂正する。
（２）訂正事項ｂ
　特許請求の範囲の請求項２を削除する。
　
２．訂正の適否について
（１）訂正事項ａについて
　本件特許明細書には、「【００１５】次に、この発明の実施の形態１を図１〜図３により説明する。図３は実施の形態１の概念を示す図であり、左側にＲＡＭ１１に記憶した変更前の１０桁の通話相手電話番号の内容を、右側に変更後の１１桁の通話相手電話番号の内容を示している。即ち、１０桁の電話番号から１１桁の電話番号に変更される場合の変換フォーマットは予め判っており、１０桁の電話番号０３０−△△△−××××は、１１桁になった場合、０９０−３△△△−××××の電話番号に、また、０８０−△△△−××××は、１１桁になった場合、０９０−８△△△−××××の電話番号に変更されることが予め判っている。従って、実施の形態１においては、変換するためのプログラムをＲＯＭ９に記憶させている。そして、今、使用者がＲＡＭ１１に記憶されている１０桁の通話相手電話番号を１１桁に変換しようとするとき、使用者は操作部３の機能キー、例えばＦキーを操作して変換プログラムの起動をＣＰＵ７に指令する。ＣＰＵ７は、指令を受けるとＲＯＭ９の変換プログラムを実施し、ＲＡＭ１１に記憶されている１０桁の通話相手電話番号を読み出し、１１桁のフォーマットの通話相手電話番号に変換し、ＲＡＭ１１に書き替える。即ち、ＲＡＭ１１の記憶内容が図３のように１０桁の通話相手電話番号から１１桁の通話相手電話番号に自動的に変換できる。」（２頁右欄１７行ないし３９行）、
「【００２０】実施の形態５．なお、上記実施の形態では、ＲＡＭ１１に記憶する通話相手電話番号を１１桁に変換させて記憶させておくものとしたが、ＲＡＭ１１には１０桁のままの状態で記憶させておくものとしても良い。この実施の形態５では、操作部３の操作、若しくは時計装置の示す日時を機転として、それ以後、ＲＡＭ１１から通話相手電話番号を読み出すとき、１０桁の通話相手電話番号を１１桁のフォーマットに変換して表示部２に表示する。従って、使用者はＲＡＭ１１には１０桁の通話相手電話番号が記憶されているにも拘わらず、１１桁の通話相手電話番号が記憶されているかのように、操作することができる。なお、発信するときには、表示されている１１桁の通話相手電話番号で発信することは言うまでもない。」（３頁左欄４１行ないし右欄４行）の記載があることから、訂正事項ａは、本件特許明細書又は図面に記載した事項の範囲内であり、そして、特許請求の範囲の請求項１に記載された「変換手段」について「発信時、上記メモリ領域から上記通話相手電話番号を読み出すときに、」と限定する訂正を求めるものであるから、特許請求の範囲の減縮を目的とするものであって、新規事項の追加に該当せず、実質上特許請求の範囲を拡張し、変更するものではない。
（３）訂正事項ｂについて
　訂正事項ｂは、特許請求の範囲の請求項２を削除する訂正を求めるものであるから、特許請求の範囲の減縮を目的とした明細書の訂正に該当するものであって新規事項の追加に該当せず、実質上特許請求の範囲を拡張し、又は変更するものではない。
　
３．まとめ
　したがって、上記訂正請求は、特許法第１２０条の４第２項、及び同条第３項で準用する同法１２６条第２項及び３項の規定に適合するので、当該訂正を認める。
　
第３．特許異議申立について
１．特許異議申立の理由の概要
　特許異議申立人　房安志織は証拠として、
（１）甲第１号証・・・特開平５−３２７８４９号公報
（２）甲第２号証・・・特開平１−２１８１６３号公報
（３）甲第３号証・・・特開平８−７９３６４号公報
を提出し、本件の請求項１に係る発明の特許は、甲第１号証ないし甲第２号証に記載された発明から当業者であれば容易に発明をすることできたものであり、本件の請求項２に係る発明の特許は、甲第３号証に記載された発明から当業者であれば容易に発明をすることできたものであるから、請求項１、２に係る発明の特許は、特許法第２９条第２項の規定に違反してなされたものである。
　
２．本件特許発明
　上記第２．３．で示したように上記訂正請求は認められるから、本件特許の請求項１に係る発明（以下、「本件特許発明」という。）は、平成１６年６月１８日付けの訂正請求により訂正された訂正明細書の特許請求の範囲に記載された次の事項により特定されるものである。
「予め記憶させた通話相手電話番号を読み出し、発信可能にした電話機に於いて、上記通話相手電話番号を記憶するメモリ領域、発信時、上記メモリ領域から上記通話相手電話番号を読み出すときに、該通話相手電話番号の所定桁数位置の番号を変更又は所定桁数位置に番号を付加する変換手段、この変換手段により変換された通話相手電話番号を表示する表示部、及び上記変換手段により変換された通話相手電話番号に発信する送信手段を備えたことを特徴とする電話機。」
　
３．刊行物に記載された発明
（１）引用刊行物について
　取消理由で引用した特開平１−２１８１６３号公報（甲第２号証）（以下、「引用刊行物」という。）には、図面とともに
「本発明は、上記目的を達成するため、日本電信電話会社の回線の他に契約により使用可能な回線に接続可能で、操作部のワンタッチ・キーに対応して送信先電話番号を記憶するダイヤルメモリを有し、操作部のワンタッチ・キーの操作により表示部に該送信先電話番号を表示し、所定のキー入力により該電話番号に従って自動発呼するファクシミリ装置において、前記契約により使用可能な回線のアクセス番号を記憶するアクセス番号メモリを設け、前記ワンタッチ・キーが操作されたとき、その操作回数に対応してアクセス番号メモリよりアクセス番号を読み出し、前記ダイヤルメモリから読み出した電話番号にアクセス番号を付加して表示部に表示し、発呼可能とすることを特徴とするものである。」（２頁左下欄１３行ないし右下欄７行）、
　「ダイヤルメモリ１３には、第３図に示すように、それぞれのワンタッチ・キー４ｂに付与されているワンタッチナンバー（第３図中左端のＮｏ欄に表示されているナンバー）に対応させて送信先の電話番号（市外局番を含む）が登録されており、また、電話番号の登録された各ワンタッチナンバーに対して後述するアクセス番号の登録番号がフラグ欄（第３図中右端の欄）に登録される。」（３頁左上欄１８行ないし右上欄５行）、
　「ワンタッチ・キー４ｂを１回押すと、まず、ダイヤルメモリ１３に登録されたＮＴＴ回線による電話番号のみが表示され、オペレータはＮＴＴ回線を使用せず、他の契約回線を利用しようと思うと、再度ワンタッチ・キー４ｂを押す。ワンタッチ・キー４ｂが２回押されると、システム制御部１１は当該ワンタッチ・キー４ｂのワンタッチナンバーのフラグの登録番号を読み出し、アクセス番号メモリ１４から該当録番号のアクセス番号を読み出す。例えば、いまワンタッチナンバー“０１”のワンタッチ・キー４ｂが２回押されたとすると、このワンタッチナンバーのフラグの登録番号は第３図より“２”である。したがって、システム制御部１１はアクセス番号メモリ１４から登録番号“２”のアクセス番号“００７７”を読み出す。
　読み出したアクセス番号を前に読み出してシステムメモリ１２に格納してある電話番号の前に付加し、表示部４ｅに表示する（第５図（ｂ）参照）」（３頁右下欄２行ないし１９行）、
　「オペレータは表示部４ｅに表示されたアクセス番号の回線を利用して送信するときには、スタート・キー４ｃを押す。システム制御部１１はスタート・キー４ｃが押されると、表示部４ｅに表示中の番号（アクセス番号と電話番号）に従って発呼する」（４頁左上欄１１行ないし１６行）の記載がある。
　これらの記載及びこの分野の技術常識を考慮すれば、引用刊行物には、
「予め記憶させた送信先の電話番号を読み出し、発呼可能にしたファクシミリ装置に於いて、上記送信先の電話番号を記憶するダイヤルメモリ１３、発呼時、ワンタッチ・キーを１回押したときに上記ダイヤルメモリ１３から上記送信先の電話番号を読み出し、上記ワンタッチ・キーを２回以上押したときにアクセス番号メモリ１４からアクセス番号を読み出し、上記送信先の電話番号の前にアクセス番号を付加する手段、アクセス番号を付加する手段によりアクセス番号を付加された送信先の電話番号を表示する表示部４ｅ、及び上記アクセス番号を付加する手段によりアクセス番号を付加された送信先の電話番号に発呼する通信制御部等の送信手段を備えたファクシミリ装置。」の発明が開示されているものと認められる。
　
４．対比
　本件特許発明と引用発明とを対比すると、
（１）対比
　ａ）引用発明の「送信先の電話番号」、「発呼」、「送信先の電話番号を記憶するダイヤルメモリ１３」、「送信先の電話番号の前にアクセス番号を付加する手段」、「アクセス番号を付加する手段によりアクセス番号を付加された送信先の電話番号を表示する表示部４ｅ」、「アクセス番号を付加する手段によりアクセス番号を付加された送信先の電話番号に発呼する通信制御部等の送信手段」は、それぞれ、本件特許発明の「通話相手電話番号」、「発信」、「通話相手電話番号を記憶するメモリ領域」、「通話相手電話番号」の「所定桁数位置に番号を付加する変換手段」、「この変換手段により変換された通話相手電話番号を表示する表示部」、「変換手段により変換された通話相手電話番号に発信する送信手段」に相当する。
　ｂ）引用発明は「ファクシミリ装置」であるが、その発明の実態は電話機といえるものであるから、引用発明の「ファクシミリ装置」は本件特許発明の「電話機」に相当する。
　
（２）一致点
　予め記憶させた通話相手電話番号を読み出し、発信可能にした電話機に於いて、上記通話相手電話番号を記憶するメモリ領域、発信時、上記通話相手電話番号の所定桁数位置に番号を付加する変換手段、この変換手段により変換された通話相手電話番号を表示する表示部、及び上記変換手段により変換された通話相手電話番号に発信する送信手段を備えた電話機。
　
（３）相違点
　本件特許発明は、メモリ領域から通話相手電話番号を読み出すときに、該通話相手電話番号の所定桁数位置に番号を付加するのに対して、引用発明は、ワンタッチ・キーを１回押したときにダイヤルメモリから送信先の電話番号を読み出し、上記ワンタッチ・キーを２回以上押したときにアクセス番号メモリからアクセス番号を読み出し上記送信先の電話番号の前にアクセス番号を付加する点。
　
５．相違点についての検討
　一般に、１回のキー操作により２つ以上の機能を実行させることは常とう手段であるから、引用発明において、ワンタッチ・キーを１回押したときにダイヤルメモリ１３から送信先の電話番号を読み出し、上記ワンタッチ・キーを２回以上押したときにアクセス番号メモリからアクセス番号を読み出し上記送信先の電話番号の前にアクセス番号を付加することに代えて、ワンタッチ・キーを押したときにダイヤルメモリから送信先の電話番号を読み出すとともに、アクセス番号メモリからアクセス番号を読み出し上記送信先の電話番号の前にアクセス番号を付加するようにすること、即ち、本件特許発明でいうところの「メモリ領域から通話相手電話番号を読み出すときに、該通話相手電話番号の所定桁数位置に番号を付加する」ことは適宜実施し得ることであって当業者であれば容易に想到し得ることである。
　
６．まとめ
　したがって、本件特許発明は、引用刊行物に記載された発明から当業者であれば容易に発明をすることができたものであるから、本件発明についての特許は、特許法第２９条第２項の規定に違反してなされたものである。
　
第４．むすび
　以上のとおりであるから、本件発明についての特許は、特許法第１１３条第２号に該当し、取り消されるべきものである。
　よって、結論のとおり決定する。
【異議決定日】
平成１６年７月１５日（２００４．７．１５）
【訂正の要旨】
審決（決定）の【理由】欄参照。
（５４）【発明の名称】
電話機
（５７）【特許請求の範囲】
　【請求項１】　予め記憶させた通話相手電話番号を読み出し、発信可能にした電話機に於いて、上記通話相手電話番号を記憶するメモリ領域、発信時、上記メモリ領域から上記通話相手電話番号を読み出
すときに
び上
【発明の詳細な説明】
　【０００１】
　【発明の属する技術分野】
　この発明は、通話相手電話番号や自局電話番号をメモリの所定領域に記憶させた電話機、及び電話機に設けた表示部に記憶させた通話相手電話番号や自局電話番号を表示させる電話番号表示方法に関する。
　【０００２】
　【従来の技術】
　電話機、特に携帯電話機にあっては、各種の機能が取り入れられており、使用者の便が図られている。例えば、複数の通話相手電話番号をメモリに記憶させ、表示部に表示可能にすることにより、電話帳に変わる機能を携帯電話機自体に持たせている。
　一方、携帯電話機は、何時でも、何処でも手軽に通話できる便利さから、広く普及してきており、今後も更なる普及が期待されている。しかして、現在に電話番号の桁数は１０桁であり、このまま普及拡大していった場合、割り当てる電話番号がなくなってしまう恐れが出てきており、その解決策として桁数を１１桁にする提案がなされている。
　【０００３】
　【発明が解決しようとする課題】
　しかるに、ある日時を契機に電話番号を１０桁から１１桁に増やした場合、既存の電話番号は予め決められたルールに基づいて自動的に桁数変換されるため、１１桁の電話番号で発信することにより通話することは可能であるが、携帯電話機に登録記憶している通話相手電話番号は使用者が逐次１０桁の番号を抹消し、１１桁で登録し直す必要がある。また、通常、登録記憶した通話相手電話番号は、表示部に選択的に表示させ、その番号に発信するものであるので、使用者が桁数を変更する日時を忘れていた場合には、何度も繰り返して１０桁の番号で発信してしまい、回線が混乱してしまう恐れがあった。
　【０００４】
　この発明は、上記のような問題点に鑑みてなされたものであって、記憶しておいた所定桁数の電話番号を読み出し、予め決められた桁数フォーマットに変換して書き替え記憶させる機能を電話機に持たせることによって、使用者の手間を省くことができ、正確に電話番号の書き替えができる電話機を提供することを目的としている。
　【０００５】
　【０００６】
　【０００７】
　【０００８】
　【課題を解決するための手段】
　この発明の請求項１に係る電話機は、予め記憶させた通話相手電話番号を読み出し、発信可能にした電話機に於いて、上記通話相手電話番号を記憶するメモリ領域、発信時、上記メモリ領域から上記通話相手電話番号を読み出
すときに
び上
　【０００９】
　【００１０】
　【００１１】
　【００１２】
　【００１３】
　【００１４】
　【発明の実施の形態】
実施の形態１．
　図１は、この発明が適用される携帯電話機の外観図であり、１は送受信するためのアンテナ、２はＬＣＤ等から構成される表示部、３は各種の機能キー、数値キーが配列された操作部、４は受信された音声信号を拡声するスピーカ、５は送信するための音声を集音するマイクである。
　また、図２は携帯電話機の内部構成を示したブロック図であり、６はアンテナ１を介して送受信する信号を変復調する無線部、７はＣＰＵ、８は無線部を介して復調された音声信号を音声処理してスピーカ４に、マイク５から入力する音声信号を音声処理して無線部６にそれぞれ出力する音声処理部、９はＣＰＵ７の処理プログラムを記憶するＲＯＭ、１０はＲＯＭ９に記憶されたプログラムをＣＰＵ７が処理するときの処理データを一時記憶するためのＲＡＭ、１１は自局電話番号及び通話相手電話番号を記憶するＲＡＭで、記憶内容が消去されないようにバッテリバックアップされている。１２は時計装置で、ＣＰＵ７の割り込みタイミング等を司るものである。なお、図２ではＲＡＭ１０及び１１を別個のＲＡＭとしているが、メモリ領域を分割して用いれば、１つのＲＡＭで構成することも可能である。
　【００１５】
　次に、この発明の実施の形態１を図１〜図３により説明する。図３は実施の形態１の概念を示す図であり、左側にＲＡＭ１１に記憶した変更前の１０桁の通話相手電話番号の内容を、右側に変更後の１１桁の通話相手電話番号の内容を示している。
　即ち、１０桁の電話番号から１１桁の電話番号に変更される場合の変換フォーマットは予め判っており、１０桁の電話番号０３０−△△△−××××は、１１桁になった場合、０９０−３△△△−××××の電話番号に、また、０８０−△△△−××××は、１１桁になった場合、０９０−８△△△−××××の電話番号に変更されることが予め判っている。
　従って、実施の形態１においては、変換するためのプログラムをＲＯＭ９に記憶させている。そして、今、使用者がＲＡＭ１１に記憶されている１０桁の通話相手電話番号を１１桁に変換しようとするとき、使用者は操作部３の機能キー、例えばＦキーを操作して変換プログラムの起動をＣＰＵ７に指令する。ＣＰＵ７は、指令を受けるとＲＯＭ９の変換プログラムを実施し、ＲＡＭ１１に記憶されている１０桁の通話相手電話番号を読み出し、１１桁のフォーマットの通話相手電話番号に変換し、ＲＡＭ１１に書き替える。
　即ち、ＲＡＭ１１の記憶内容が図３のように１０桁の通話相手電話番号から１１桁の通話相手電話番号に自動的に変換できる。
　【００１６】
実施の形態２．
　上記実施の形態１では、ＲＡＭ１１の記憶内容を１０桁から１１桁に変換するものであるが、実施の形態２では図４に示すとおり、逆に１１桁の通話相手電話番号から１０桁の通話相手電話番号に変換するものである。
　即ち、この変換プログラムもＲＯＭ９に記憶されており、使用者が操作部３の機能キーを操作することにより、実施の形態１と同様にＲＡＭ１１から１１桁の通話相手電話番号を読み出し、１０桁の通話相手電話番号に変換し、ＲＡＭ１１に書き替える。
　この実施の形態２は、上記実施の形態１と組み合わせて用いたとき、有効に効果を奏するものであり、実施の形態１で変換後、本当に１１桁に変換できたかどうかを機能キーの操作により、ＣＰＵ７を動作させ、ＲＡＭ１１から通話相手電話番号を読み出して表示部２に表示させ確認することができる。一方、実施の形態２で変換後も同様に１０桁に変換できたかどうかを確認できる。従って、電話番号が１１桁に変わる日時の前に正常に変換が可能かどうかを確認することができる。
　【００１７】
実施の形態３．
　なお、上記実施の形態１では操作部３の機能キーを操作することによりＲＯＭ９に記憶された変換プログラムを起動させるようにしたが、ＲＯＭ９のプログラムに時計装置１２の示す日時が設定の日時になったとき、ＣＰＵ７を起動させるプログラムを記憶させるものとしてもよい。
　即ち、時計装置１２の日時が設定日時となったとき、ＣＰＵ７は割り込み処理の形でＲＡＭ１１に記憶している通話相手電話番号を１０桁から１１桁に書き替える。
　【００１８】
実施の形態４．
　図５は、この発明の実施の形態４の概念を示す図である。
　現在、携帯電話機は０３０、０８０、０１０、０２０の３桁の局番のみを用いている。
　しかし、電話番号を１１桁化するまでに別な局番０４０、０９０を使用できるようにした場合、上記実施の形態１〜３では、これらの局番の１１桁への変換ができないことになる。
　この実施の形態４はこれらの局番の通話相手電話番号も変換できるようにしたものである。
　【００１９】
　即ち、既存の局番号０３０、０８０、０１０、０２０については、上記各実施の形態で１１桁の電話番号に変換できる。実施の形態４では、これらの変換の後でも、１０桁の通話相手電話番号がＲＡＭ１１に存在している場合、表示部２に「追加する対象番号を３桁で入力して下さい。」と表示する。使用者が０４０と操作部の数値キーを入力すると、該当する局番の通話相手電話番号０４０−△△△−××××を０９０−４△△△−××××に変換する。
　この変換後も１０桁の通話相手電話番号がＲＡＭ１１に存在している場合、さらに表示部２に「追加する対象番号を３桁で入力して下さい。」と表示する。使用者が０９０と操作部の数値キーを入力すると、該当する局番の通話相手電話番号０９０−△△△−××××を０９０−９△△△−××××に変換する。なお、上記処理を実行するプログラムもＲＯＭ９に記憶させておくものとする。
　【００２０】
実施の形態５．
　なお、上記実施の形態では、ＲＡＭ１１に記憶する通話相手電話番号を１１桁に変換させて記憶させておくものとしたが、ＲＡＭ１１には１０桁のままの状態で記憶させておくものとしても良い。
　この実施の形態５では、操作部３の操作、若しくは時計装置の示す日時を機転として、それ以後、ＲＡＭ１１から通話相手電話番号を読み出すとき、１０桁の通話相手電話番号を１１桁のフォーマットに変換して表示部２に表示する。従って、使用者はＲＡＭ１１には１０桁の通話相手電話番号が記憶されているにも拘わらず、１１桁の通話相手電話番号が記憶されているかのように、操作することができる。なお、発信するときには、表示されている１１桁の通話相手電話番号で発信することは言うまでもない。
　【００２１】
実施の形態６．
　図６は、この発明の実施の形態６の概念を示す図である。
　上記実施の形態では、通話相手電話番号を１１桁化する場合の実施の形態であるが、この実施の形態６は自局電話番号についてのものである。自局電話番号は通話相手電話番号と同様にＲＡＭ１１に記憶されているが、使用者が勝手に書き替え変更できないようになっている。しかし、使用者が通話中に通話相手に自局電話番号を連絡することが良くあり、その場合、ＲＡＭ１１から読み出し、表示部２に表示された自局番号を見ながら連絡することが多い。従って、この実施の形態６では、ＲＡＭ１１に記憶された１０桁の自局電話番号を読み出して表示部２表示するとき１１桁に変換して表示するようにしたものである。
　即ち、この実施の形態６も操作部３の操作、若しくは時計装置の示す日時を機転として、それ以後、ＲＡＭ１１から自局電話番号を読み出すとき、１０桁の自局電話番号を１１桁のフォーマットに変換して表示部２に表示する。
　【００２２】
実施の形態７．
　図７は、この発明の実施の形態７の概念を示す図である。
　この実施の形態７は、上記実施の形態６と組み合わせて用いたときに有効に効果を奏するものであり、実施の形態６で表示部に１１桁の自局電話番号を表示した後、操作部３の機能キーを操作することにより、１０桁の自局電話番号に表示に再度変換して表示できるようにしたものであり、正確に変換が行われるかを確認できるようにしたものである。
　【００２３】
実施の形態８．
　図８は、この発明の実施の形態８の概念を示す図である。
　上記実施の形態では、携帯電話機の通話相手電話番号及び自局電話番号を対象として説明したが、固定電話機の電話番号であっても同様である。図８は、９桁の電話番号を１０桁の電話番号に変換する場合を示したものであるが、上記各実施の形態と同様に固定電話の電話番号であっても、本発明を適用することができる。
　【００２４】
実施の形態９．
　さて、図９は、この発明の実施の形態９を示したものであり、電話番号を表示部２に表示する場合の実施の形態である。
　即ち、図９（ａ）は、１０桁の電話番号を表示部に表示した状態であり、桁数が少ないので各数字の１文字あたりのフォント数を大きくして表示している。
　一方、図９（ｂ）は、１１桁の電話番号を表示部２に表示した状態を示しており、多い桁数であるので、各数字の１文字あたりのフォント数を小さくして表示している。表示部２のスペースは限られており、装置全体の小型化をしていく上で、そのスペースも小さくなってきている。従って、限られたスペースでできるだけ大きく電話番号を表示するため、この実施の形態９では、表示する電話番号の桁数に応じて１つの文字あたりのフォント数を可変するようにしたものである。
　【００２５】
　【００２６】
　【００２７】
　【００２８】
　【発明の効果】
　以上述べたように、この発明の請求項１に係る発明によれば、記憶している通話相手電話番号を読み出すと共に変換して表示、発信できるようにしたので、記憶している通話相手電話番号を使用者が逐次登録し直す手間を省くことができ、かつ、使用者が変換せずとも、正確に通話相手電話番号を変換して表示、発信することができる効果がある。
　【００２９】
　【００３０】
　【００３１】
　【００３２】
　【００３３】
【図面の簡単な説明】
　【図１】　この発明を適用する携帯電話機の外観を示す外観図である。
　【図２】　この発明を適用した携帯電話機の内部回路を示すブロック図である。
　【図３】　この発明の実施の形態１の概念を示す図である。
　【図４】　この発明の実施の形態２の概念を示す図である。
　【図５】　この発明の実施の形態４の概念を示す図である。
　【図６】　この発明の実施の形態６の概念を示す図である。
　【図７】　この発明の実施の形態７の概念を示す図である。
　【図８】　この発明の実施の形態８の概念を示す図である。
　【図９】　この発明の実施の形態９の表示形態を示した図である。
　【符号の説明】
　１　アンテナ、　２　表示部、　３　操作部、　６　無線部、　７　ＣＰＵ、　９　ＲＯＭ、　１０　ＲＡＭ、　１１　ＲＡＭ、　１２　時計装置。